(57)【要約】【課題】  ビデオ通話の一時停止機能を実現する。通信相手に所定の画像を送る。【解決手段】  電話装置として、ビデオ制御部４、ユーザインターフェイス制御部５、音声制御部６、メモリ７を備える。ビデオ制御部４は、ビデオデータを一時に記憶するカメラデータ入力／送信バッファ４２と、ビデオデータをフレーム単位で、データ入力／送信バッファ４２に取り込み、ネットワークインターフェイス１０から通話相手に送出するビデオデータ送信部４１と、ビデオデータを一時に記憶するビデオデータ受信／表示バッファ４４と、通話相手からのビデオデータをネットワークインターフェイス１０からビデオデータ受信／表示バッファ４４に取り込み、ディスプレイ２に表示するビデオデータ受信／表示部４３と、メモリ７に記憶されるデータを読み出すデータ読み出し部４５とを有する。【選択図】      図１
2006115184.tif 000002
【特許請求の範囲】
【請求項１】
ビデオデータを保持するビデオデータ保持部と、ビデオデータ一時停止要求を受け、該ビデオデータ一時停止要求を受けたときに入力されるビデオデータを前記ビデオデータ保持部に保持し、前記ビデオデータ保持部に保持されたビデオデータを繰り返し送信し、該保持されたビデオデータ以降に入力されるビデオデータを前記ビデオデータ保持部に取り込まないビデオデータ送信部と、を有するビデオデータ送信装置。
【請求項２】
ビデオデータ送信状態をビデオデータ一時停止とするか否かを示す設定データを記憶するメモリと、ビデオデータを送信するビデオデータ送信部と、前記メモリから前記設定データを読み出し、前記設定データがビデオデータ一時停止であるときに前記ビデオデータ送信部へビデオデータ一時停止要求を送るデータ読み出し部と、を有し、前記ビデオデータ送信部は前記ビデオデータ一時停止要求を受けたとき、前記ビデオデータの送信を行わないことを特徴とするビデオデータ送信装置。
【請求項３】
請求項２記載のビデオデータ送信装置において、前記設定データは送信先特定データ毎に設定され、前記送信先特定データと対応させた前記設定データを前記メモリに記憶し、前記データ読み出し部は前記送信先特定データに基づいて前記設定データを読み出すことを特徴とするビデオデータ送信装置。
【請求項４】
ビデオデータ送信状態をビデオデータ一時停止とするか否かを示す設定データと送信先特定データと対応する送信開始時ビデオデータとを記憶するメモリと、ビデオデータを送信するビデオデータ送信部と、前記メモリから前記設定データを読み出し、前記設定データがビデオデータ一時停止であるときに前記送信先特定データに基づいて前記送信開始時ビデオデータを読み出すデータ読み出し部と、ビデオデータを保持するビデオデータ保持部とを有し、
前記ビデオデータ送信部は、前記送信開始時ビデオデータをビデオデータ保持部に保持し、前記ビデオデータ送信部は前記ビデオデータ保持部に保持された前記送信開始時ビデオデータを繰り返し送信するビデオデータ送信装置。
【請求項５】
請求項１から４のいずれか１項にビデオデータ送信装置と、ビデオデータを受信する受信装置と、音声を入力するマイクと、音声を出力するスピーカと、前記マイクからの音声の送信と受信した音声を前記スピーカに出力する音声制御部と、前記ビデオデータ送信装置にビデオデータを送る撮像装置と、前記受信装置により受信されたビデオデータ又は撮像装置からのビデオデータを表示する表示装置と、を備えた電話装置。
【請求項６】
ビデオデータ一時停止要求があったときに、該ビデオデータ一時停止要求があったときのビデオデータをビデオデータ保持部に保持し、  
前記ビデオデータ保持部に保持されたビデオデータ以降に入力されるビデオデータを前記ビデオデータ保持部に取り込まず、保持されたビデオデータをビデオデータ送信部から繰り返し送信するビデオデータ送信方法。
【請求項７】
ビデオデータ送信状態がビデオデータ一時停止とするか否かを示す設定データをメモリに記憶し、
前記設定データを前記メモリから読み出し、
前記メモリから読み出した前記設定データがビデオデータ一時停止であるときは、ビデオデータ送信部からビデオデータの送信を行わず、前記メモリから読み出した前記設定データがビデオデータ一時停止でないときは、前記ビデオデータ送信部からビデオデータ送信を行うビデオデータ送信方法。
【請求項８】
請求項７記載のビデオデータ送信方法において、前記設定データは送信先特定データ毎に設定され、前記送信先特定データと対応させた前記設定データを前記メモリに記憶し、前記送信先特定データに基づいて前記設定データを読み出すことを特徴とするビデオデータ送信方法。
【請求項９】
ビデオデータ送信状態がビデオデータ一時停止とするか否かを示す設定データと、送信先特定データと対応する送信開始時ビデオデータとをメモリに記憶し、
前記設定データを前記メモリから読み出し、
前記メモリから読み出した前記設定データがビデオデータ一時停止であるときは、前記送信先特定データに基づいて、前記送信先特定データと対応する送信開始時ビデオデータを前記メモリから読み出し、
前記送信開始時ビデオデータを前記ビデオデータ保持部に保持し、前記ビデオデータ送信部から前記ビデオデータ保持部に保持された前記送信開始時ビデオデータを繰り返し送信するビデオデータ送信方法。
【請求項１０】
請求項６から請求項９のいずれか１項に記載のビデオデータ送信方法をコンピュータに実現させるプログラム。
【発明の詳細な説明】
【技術分野】
【０００１】
本発明は、ビデオデータ送信装置、電話装置及びビデオデータ送信方法に係わり、特にビデオデータ一時停止機能を有するビデオデータ送信装置、電話装置、ビデオデータ送信方法及び当該方法を用いたプログラムに関する。
【背景技術】
【０００２】
従来のビデオデータ送信制御装置の一例が、特許文献１に記載されている。図１５に示すように、この従来のビデオデータ送信制御方式は、送信側１００において、カメラ１０１の映像信号をＡ／Ｄ変換部１０２でディジタル変換し、静止画像記録部１０３および動画符号化部１０４に入力する。通常時、切換部１０５は動画符号化部１０４側に切り替わっており、動画を入出力部１０６より送出する。送出された映像データは、受信側１１０において、入出力部１１１より切換部１１２を介し動画復号部１１４に入力し、動画を復号し、Ｄ／Ａ変換部１１５でアナログ変換し、モニタ１１６に表示する。送信側１００において、入力部１０７より割込み指示を入力すれば、制御部１０９を介し判別部１０８で判別し、切換部１０５を静止画像記録部１０３側に切換え、このとき受信側１１０において、入力部１１７より割込み指示を入力すれば、制御部１１９を介し判別部１１８でも割込み指示を判別し、切換部１１２を静止画像再生部１１３側に切換え、複合された高詳細の静止画像をモニタ１１６に表示することができる。
【特許文献１】特開平１１−３０８５８５号公報  （図１）
【発明の開示】
【発明が解決しようとする課題】
【０００３】
しかしながら、従来のテレビ電話機能では、静止画像の受信、および、再生するための手段を受信側端末が有する必要があり、その手段を有していない端末に対しては、静止画像を送信することができない。すなわち、送信ビデオデータの一時停止／再開の機能を実現させるためには、受信側に、送信側からの一時停止／再開要求を受け付ける手段や、静止画像を表示するための手段が用意されている必要があった。
そのため、特定の端末同士でなければ、ビデオ通話の一時停止／再開機能を実現することができなかった。
【０００４】
また、テレビ電話機能においては、ビデオ通話の開始と同時にビデオデータの送信を開始するため、何らかの理由により自画像を送信したくない場合でも、相手に自画像を送信してしまうという課題があった。
【課題を解決するための手段】
【０００５】
本発明のビデオデータ送信装置は、ビデオデータを保持するビデオデータ保持部と、ビデオデータ一時停止要求を受け、該ビデオデータ一時停止要求を受けたときに入力されるビデオデータを前記ビデオデータ保持部に保持し、前記ビデオデータ保持部に保持されたビデオデータを繰り返し送信し、該保持されたビデオデータ以降に入力されるビデオデータを前記ビデオデータ保持部に取り込まないビデオデータ送信部と、を有するものである。
【０００６】
また本発明のビデオデータ送信装置は、ビデオデータ送信状態をビデオデータ一時停止とするか否かを示す設定データを記憶するメモリと、ビデオデータを送信するビデオデータ送信部と、前記メモリから前記設定データを読み出し、前記設定データがビデオデータ一時停止であるときに前記ビデオデータ送信部へビデオデータ一時停止要求を送るデータ読み出し部と、を有し、前記ビデオデータ送信部は前記ビデオデータ一時停止要求を受けたとき、前記ビデオデータの送信を行わないことを特徴とするものである。
【０００７】
また本発明のビデオデータ送信装置は、ビデオデータ送信状態をビデオデータ一時停止とするか否かを示す設定データと送信先特定データと対応する送信開始時ビデオデータとを記憶するメモリと、ビデオデータを送信するビデオデータ送信部と、前記メモリから前記設定データを読み出し、前記設定データがビデオデータ一時停止であるときに前記送信先特定データに基づいて前記送信開始時ビデオデータを読み出すデータ読み出し部と、ビデオデータを保持するビデオデータ保持部とを有し、
前記ビデオデータ送信部は、前記送信開始時ビデオデータをビデオデータ保持部に保持し、前記ビデオデータ送信部は前記ビデオデータ保持部に保持された前記送信開始時ビデオデータを繰り返し送信するものである。
【０００８】
本発明の電話装置は、上記本発明のビデオデータ送信装置と、ビデオデータを受信する受信装置と、音声を入力するマイクと、音声を出力するスピーカと、前記マイクからの音声の送信と受信した音声を前記スピーカに出力する音声制御部と、前記ビデオデータ送信装置にビデオデータを送る撮像装置と、前記受信装置により受信されたビデオデータ又は撮像装置からのビデオデータを表示する表示装置と、を備えたものである。
【０００９】
本発明のビデオデータ送信方法は、ビデオデータ一時停止要求があったときに、該ビデオデータ一時停止要求があったときのビデオデータをビデオデータ保持部に保持し、  
前記ビデオデータ保持部に保持されたビデオデータ以降に入力されるビデオデータを前記ビデオデータ保持部に取り込まず、保持されたビデオデータをビデオデータ送信部から繰り返し送信するものである。
【００１０】
また本発明のビデオデータ送信方法は、ビデオデータ送信状態がビデオデータ一時停止とするか否かを示す設定データをメモリに記憶し、
前記設定データを前記メモリから読み出し、
前記メモリから読み出した前記設定データがビデオデータ一時停止であるときは、ビデオデータ送信部からビデオデータの送信を行わず、前記メモリから読み出した前記設定データがビデオデータ一時停止でないときは、前記ビデオデータ送信部からビデオデータ送信を行うものである。
【００１１】
また本発明のビデオデータ送信方法は、ビデオデータ送信状態がビデオデータ一時停止とするか否かを示す設定データと、送信先特定データと対応する送信開始時ビデオデータとをメモリに記憶し、
前記設定データを前記メモリから読み出し、
前記メモリから読み出した前記設定データがビデオデータ一時停止であるときは、前記送信先特定データに基づいて、前記送信先特定データと対応する送信開始時ビデオデータを前記メモリから読み出し、
前記送信開始時ビデオデータを前記ビデオデータ保持部に保持し、前記ビデオデータ送信部から前記ビデオデータ保持部に保持された前記送信開始時ビデオデータを繰り返し送信するものである。
【００１２】
本発明のプログラムは、上記本発明のビデオデータ送信方法をコンピュータに実現させるものである。
【発明の効果】
【００１３】
本発明によれば、通話相手の端末を特定せずに、ビデオデータ送信側の制御だけで、ビデオデータ送信の一時停止機能を実現することができる。
【００１４】
また本発明によれば、ビデオデータ送信開始状態設定をメモリに記憶させることで、誤って自画像等のビデオデータを通話相手に送ってしまうことを防ぐことができる。
【００１５】
また本発明によれば、ビデオデータ送信開始状態設定をメモリに記憶させると共に、ビデオデータ送信開始時に、通話相手毎に送信する画像をあらかじめ設定することで、誤って自画像等のビデオデータを通話相手に送ってしまうことを防ぐと共に、通話相手には、あらかじめ設定した画像を送信することができる。
【発明を実施するための最良の形態】
【００１６】
以下、本発明の実施の形態について図面を用いて詳細に説明する。
［実施形態１］
図１は本発明の実施形態におけるデータ送信制御装置及び電話装置の構成を示すブロック図である。
【００１７】
図１を参照すると、本実施形態における電話装置は、ビデオ制御部４、ユーザインターフェイス制御部５、音声制御部６、メモリ７を備えている。
【００１８】
ビデオ制御部４は、ビデオデータを一時保持する、ビデオデータ保持部となるカメラデータ入力／送信バッファ４２と、撮像装置となるデジタルカメラ等のカメラ１で撮影したビデオデータをフレーム単位で、カメラデータ入力／送信バッファ４２に取り込み、ネットワークインターフェイス１０から通話相手に送出するビデオデータ送信部４１と、ビデオデータを一時保持するビデオデータ受信／表示バッファ４４と、通話相手からのビデオデータをネットワークインターフェイス１０からビデオデータ受信／表示バッファ４４に取り込み、ディスプレイ２に表示するビデオデータ受信／表示部４３と、メモリ７に記憶されるデータを読み出すデータ読み出し部４５とを有する。
【００１９】
ユーザインターフェイス制御部５は、マウスやキーボード等の入力デバイス３から送信ビデオデータの一時停止要求や初期データ設定要求等を受け付ける入力データ受付部５２と、現在の通話状態等をディスプレイ２に表示する表示制御部５１と、設定データをメモリ７に格納するデータ格納部５３とを有する。
【００２０】
音声制御部６は、マイク９からの音声を、ネットワークインターフェイス１０から通話相手に送出する音声データ送信部６１と、通話相手からの音声を、スピーカ１０から再生する音声データ受信部６２とを有する。メモリ７は、ビデオデータ送信開始状態等の設定情報を記憶するものである。
【００２１】
次に、図１及び図４、図５、図６のフローチャートを参照して本発明の第１の実施形態の動作について詳細に説明する。図４〜図６で一つの動作フローを示している。
【００２２】
ユーザインターフェイス制御部５の入力データ受付部５２が入力デバイス３を介してユーザからのビデオ通話相手アドレスを受け付けると（ステップＡ１）、ネットワークインターフェイス８を介して通話相手を呼び出す（ステップＡ２）。相手が応答すると（ステップＡ３）、音声制御部６の音声データ送信部６１及び音声データ受信部６２を用いて音声通話を開始し（ステップＡ４）、ビデオ制御部４のビデオデータ受信／表示部４３は、通話相手からのビデオデータ受信を開始しディスプレイ２に表示する（ステップＡ５）。また、カメラ１での撮影を開始し（ステップＡ６）、カメラ１からの画像フレームをカメラデータ入力／送信バッファ４２への取り込み（ステップＡ７）、該画像フレームをネットワークインターフェイス８から通話相手に送信し（ステップＡ８）、該画像フレームをカメラデータ入力／送信バッファ４２から削除（ステップＡ９）を繰り返すことで、ビデオデータを送信する。
【００２３】
続いて、ユーザインターフェイス制御部５の入力データ受付部５２が入力デバイス３を介してビデオデータ送信一時停止要求を受け付けると（ステップＡ１０）、次の１つ目の、カメラ１からの画像フレームをカメラデータ入力／送信バッファ４２に取り込み（ステップＡ１１）、該画像フレームをネットワークインターフェイス１０から通話相手に送信し（ステップＡ１２）、続くカメラ１からの画像フレームはカメラデータ入力／送信バッファ４２に取り込まず破棄（ステップＡ１３）を繰り返すことで、同じ画像を通話相手に送信し、ビデオデータの一時停止を行う。
【００２４】
続いて、ユーザインターフェイス制御部５の入力データ受付部５２が入力デバイス３を介してビデオデータ送信再開要求を受け付けると（ステップＡ１４）、カメラ１からの画像フレームをカメラデータ入力／送信バッファ４２へ取り込み（ステップＡ１５）、該画像フレームをネットワークインターフェイス８から通話相手に送信し（ステップＡ１６）、該画像フレームをカメラデータ入力／送信バッファ４２から削除する（ステップＡ１７）を繰り返すことで、ビデオデータ送信を再開する。
【００２５】
最後に、ユーザインターフェイス制御部５の入力データ受付部５２が入力デバイス３を介して終話要求を受け付けると（ステップＡ１８）、音声制御部６は音声通話を終了し（ステップＡ１９）、ビデオ制御部４は、通話相手からのビデオデータ受信を終了（ステップＡ２０）すると共に、カメラ１での撮影を終了する（ステップＡ２１）ことで、ビデオ通話を終了する。
【００２６】
本実施形態の電話装置によれば、通話相手の端末を特定せずに、ビデオデータ送信の一時停止を実現できることにある。その理由は、ビデオデータ送信の一時停止要求を受けた時点の画像をバッファに保持することにより、同一画像を送信し続けることで、ビデオデータ送信側の制御だけで、ビデオデータ送信の一時停止機能を実現したためである。
［実施形態２］
次に、本発明の第２の実施形態について、図１及び図７、図８のフローチャートを参照して詳細に説明する。図７及び図８で一つの動作フローを示している。本発明の実施形態に用いるデータ送信制御装置及び電話装置の構成は図１に示した構成と同じである。
【００２７】
ユーザはあらかじめ、ビデオデータ送信開始状態設定をメモリ７に登録する。この登録はマウスやキーボード等の入力デバイス３からビデオデータ送信開始状態設定データを入力データ受付部５２、データ格納部５３を介してメモリ７に記憶することで行う。
【００２８】
ユーザインターフェイス制御部５の入力データ受付部５２が入力デバイス３を介してユーザからのビデオ通話相手アドレスを受け付けると（ステップＢ１）、通話相手を呼び出し（ステップＢ２）、相手が応答すると（ステップＢ３）、音声制御部６の音声データ送信部６１及び音声データ受信部６２を用いて音声通話を開始し（ステップＢ４）、ビデオ制御部４のビデオデータ受信／表示部４３は、通話相手からのビデオデータ受信を開始しディスプレイ２に表示する（ステップＢ５）。
【００２９】
続いて、ビデオ制御部４のビデオデータ送信部４１は、メモリ７より、データ読出部４５を介してビデオデータ送信開始状態設定を読み出し（ステップＢ６）、設定データが一時停止である場合は、データ読出部４５はビデオデータ送信部４１へビデオデータ一時停止要求を送り、ビデオデータ送信部４１は通話相手へのビデオデータ送信を開始しない（ステップＢ７）。
【００３０】
設定データが一時停止でない場合は、ステップＢ９以降のステップでビデオデータ送信を開始する。
【００３１】
続いて、ユーザインターフェイス制御部５の入力データ受付部５２が入力デバイス３を介してビデオデータ送信再開要求を受け付けると（ステップＢ８）、ビデオ制御部４は、カメラ１での撮影を開始し（ステップＢ９）、カメラ１からの画像フレームをカメラデータ入力／送信バッファ５への取り込み（ステップＢ１０）、該画像フレームをネットワークインターフェイス１０から通話相手に送信し（ステップＢ１１）、該画像フレームをカメラデータ入力／送信バッファ４２から削除（ステップＢ１２）を繰り返すことで、ビデオデータを送信する。
【００３２】
最後に、ユーザインターフェイス制御部５の入力データ受付部５２が入力デバイス３を介してが終話要求を受け付けると（ステップＢ１３）、音声制御部６は音声通話を終了し（ステップＢ１４）、ビデオ制御部４は、通話相手からのビデオデータ受信を終了（ステップＢ１５）すると共に、カメラ１での撮影を終了する（ステップＢ１６）ことで、ビデオ通話を終了する。
【００３３】
本実施形態では、ビデオデータ送信開始状態設定をメモリに記憶させ、ビデオ通話開始時に設定に従って、ビデオデータ送信再開要求を受け付けるまでビデオデータ送信を開始しないことにより、誤って自画像等のビデオデータを通話相手に送ってしまうことを防ぐという効果がある。
【００３４】
さらに、本実施形態におけるビデオデータ送信開始時の操作は、第１の実施形態におけるビデオデータ送信を開始後、一時停止を実施した後の再開の操作と同じであるため、ユーザインターフェイスが統一され、ユーザの使い勝手向上の効果もある。
［実施形態３］
次に、本発明の第３の実施形態について、図１及び図９、図１０、図１１のフローチャートを参照して詳細に説明する。図９〜図１１で一つの動作フローを示している。本発明の実施形態に用いるデータ送信制御装置及び電話装置の構成は図１に示した構成と同じである。
【００３５】
ユーザはあらかじめ、ビデオデータ送信開始状態設定をメモリ７に登録する。この登録はマウスやキーボード等の入力デバイス３からビデオデータ送信開始状態設定データを入力データ受付部５２、データ格納部５３を介してメモリ７に記憶することで行う。
【００３６】
ユーザインターフェイス制御部５の入力データ受付部５２が入力デバイス３を介してユーザからのビデオ通話相手アドレスを受け付けると（ステップＣ１）、通話相手を呼び出し（ステップＣ２）、相手が応答すると（ステップＣ３）、音声制御部６の音声データ送信部６１及び音声データ受信部６２を用いて音声通話を開始し（ステップＣ４）、ビデオ制御部４のビデオデータ受信／表示部４３は、通話相手からのビデオデータ受信を開始しディスプレイ２に表示する（ステップＣ５）。
【００３７】
続いて、ビデオ制御部４のビデオデータ送信部４１は、メモリ７より、データ読出部４５を介してビデオデータ送信開始状態設定を読み出し（ステップＣ６）、設定データが一時停止である場合は、通話相手へのビデオデータ送信を開始しない（ステップＣ７）。
【００３８】
設定データが一時停止でない場合は、ステップＣ９以降のステップでビデオデータ送信を開始する。
【００３９】
続いて、ユーザインターフェイス制御部５の入力データ受付部５２が入力デバイス３を介してビデオデータ送信再開要求を受け付けると（ステップＣ８）、ビデオ制御部４は、カメラ１での撮影を開始し（ステップＣ９）、カメラ１からの画像フレームをカメラデータ入力／送信バッファ４２への取り込み（ステップＣ１０）、該画像フレームをネットワークインターフェイス１０から通話相手に送信し（ステップＣ１１）、該画像フレームをカメラデータ入力／送信バッファ４２から削除（ステップＣ１２）を繰り返すことで、ビデオデータを送信する。
【００４０】
続いて、ユーザインターフェイス制御部５の入力データ受付部５２が入力デバイス３を介してビデオ終了要求を受け付けると（ステップＣ１３）、ビデオ制御部４は、通話相手からのビデオデータ受信を終了（ステップＣ１４）すると共に、カメラ１での撮影を終了（ステップＣ１５）し、音声制御部６による音声のみの通話となる。
【００４１】
続いて、ユーザインターフェイス制御部部５の入力データ受付部５２が入力デバイス３を介してビデオ開始要求を受け付けると（ステップＣ１６）、ビデオ制御部４のビデオデータ受信／表示部４３は、通話相手からのビデオデータ受信を開始しディスプレイ２に表示し（ステップＣ１７）、メモリ７より、データ読出部４５を介してビデオデータ送信開始状態設定を読み出し（ステップＣ１８）、設定データが一時停止である場合は、通話相手へのビデオデータ送信を開始せず（ステップＣ１９）、音声制御部６により音声のみの通話を継続する。
【００４２】
設定データが一時停止でない場合は、Ｃ２１以降のステップでビデオデータ送信を開始し、ビデオ通話状態となる。
【００４３】
続いて、ユーザインターフェイス制御部５の入力データ受付部５２が入力デバイス３を介してビデオデータ送信再開要求を受け付けると（ステップＣ２０）、ビデオ制御部４は、カメラ１での撮影を開始し（ステップＣ２１）、カメラ１からの画像フレームをカメラデータ入力／送信バッファ４２への取り込み（ステップＣ２２）、該画像フレームをネットワークインターフェイス１０から通話相手に送信し（ステップＣ２３）、該画像フレームをカメラデータ入力／送信バッファ４２から削除（ステップＣ２４）を繰り返すことで、ビデオデータを送信する。
【００４４】
最後に、ユーザインターフェイス制御部５の入力データ受付部５２が入力デバイス３を介して終話要求を受け付けると（ステップＣ２５）、音声制御部６は音声通話を終了し（ステップＣ２６）、ビデオ制御部４は、通話相手からのビデオデータ受信を終了（ステップＣ２７）すると共に、カメラ１での撮影を終了する（ステップＣ２８）ことで、ビデオ通話を終了する。
【００４５】
本実施形態では、ビデオ通話開始時だけでなく、ビデオ終了（音声のみの通話）後のビデオ開始時にも設定に従って、ビデオデータ送信再開要求を受け付けるまでビデオデータ送信を開始しないことにより、誤って自画像を通話相手に送ってしまうことを防ぐという効果がある。
［実施形態４］
次に、本発明の第４の実施形態について、図１、図２及び図９、図１０、図１１のフローチャートを参照して詳細に説明する。本発明の実施形態に用いるデータ送信制御装置及び電話装置の構成は図１に示した構成と同じである。
【００４６】
ユーザは、前述の第３の実施形態における、ビデオデータ送信開始状態設定の代わりに、あらかじめ、図２に示す、送信先特定データとなる通話相手アドレス２２に対応した、ビデオデータ送信開始状態２３を設定する、通話相手毎ビデオデータ送信開始状態設定テーブル２１を、メモリ７に登録する。この登録は、マウスやキーボード等の入力デバイス３から入力データ受付部５２、データ格納部５３を介してメモリ７に記憶することで行われる。
【００４７】
また、前述の第３の実施形態におけるフローチャートのステップＣ６、Ｃ１８において、通話相手アドレス２２をキーにデータ読出部４５により通話相手毎ビデオデータ送信開始状態設定テーブル２１を検索して、ビデオデータ送信開始状態２３を読み出し、ステップＣ７、Ｃ１９において、その設定にしたがって動作する。
【００４８】
本実施形態では、ビデオ通話開始時、および、ビデオ終了（音声のみの通話）後のビデオ開始時に、ビデオデータ送信を開始するかしないかを通話相手毎に設定することができるため、誤って自画像等の画像データを通話相手に送ってしまうことを防ぐと共に、自画像を送信することに支障のない相手との通話に関しては、ビデオデータ送信開始の操作を簡略化することができる。
［実施形態５］
次に、本発明の第５の実施形態について、図１、図３及び図１２、図１３のフローチャートを参照して詳細に説明する。図１２及び図１３で一つの動作フローを示している。本発明の実施形態に用いるデータ送信制御装置及び電話装置の構成は図１に示した構成と同じである。
【００４９】
ユーザはあらかじめ、ビデオデータ送信開始状態設定をメモリ７に登録する。この登録はマウスやキーボード等の入力デバイス３からビデオデータ送信開始状態設定データを入力データ受付部５２、データ格納部５３を介してメモリ７に記憶することで行う。
【００５０】
さらに、図３に示す、通話相手アドレス３２に対応した、送信開始時画像データ３３を設定する、通話相手毎送信開始時画像データ設定テーブル３１を、メモリ９に登録する。この登録は、マウスやキーボード等の入力デバイス３から入力データ受付部５２、データ格納部５３を介してメモリ７に記憶することで行われる。
【００５１】
ユーザインターフェイス制御部５の入力データ受付部５２が入力デバイス３を介してユーザからのビデオ通話相手アドレスを受け付けると（ステップＤ１）、ネットワークインターフェイス８を介して通話相手を呼び出し（ステップＤ２）、相手が応答すると（ステップＤ３）、音声制御部６の音声データ送信部６１及び音声データ受信部６２を用いて音声通話を開始し（ステップＤ４）、ビデオ制御部４のビデオデータ受信／表示部４３は、通話相手からのビデオデータ受信を開始しディスプレイ２に表示する（ステップＤ５）。
【００５２】
続いて、ビデオ制御部４は、データ読出部４５を介してメモリ７より、ビデオデータ送信開始状態設定を読み出し（ステップＤ６）、設定データが一時停止でない場合（ステップＤ７）は、Ｄ１３以降のステップで通話相手へのビデオデータ送信を開始する。
【００５３】
設定データが一時停止である場合（ステップＤ７）は、データ読出部４５により通話相手アドレス３２をキーに通話相手毎送信開始時画像データ設定テーブル３１を検索して、送信開始時画像データ３３を読み出し（ステップＤ８）、登録がない場合は、画像の送信を開始しない（ステップＤ９）。
【００５４】
登録がある場合は、検索した画像データをカメラデータ入力／送信バッファ４２へ取り込み（ステップＤ１０）、その画像をネットワークインターフェイス８から通話相手に送信（ステップＤ１１）することを繰り返すことで、あらかじめユーザが登録した画像データを通話相手に一時停止ビデオデータとして送信する。
【００５５】
続いて、ユーザインターフェイス制御部５の入力データ受付部５２が入力デバイス３を介してビデオデータ送信再開要求を受け付けると（ステップＤ１２）、ビデオ制御部４は、カメラ１での撮影を開始し（ステップＤ１３）、カメラ１からの画像フレームをカメラデータ入力／送信バッファ４２への取り込み（ステップＤ１４）、該画像フレームをネットワークインターフェイス８から通話相手に送信（ステップＤ１５）、該画像フレームをカメラデータ入力／送信バッファ４２から削除（ステップＤ１６）を繰り返すことで、ビデオデータを送信する。
【００５６】
最後に、ユーザインターフェイス制御部５の入力データ受付部５２が入力デバイス３を介して終話要求を受け付けると（ステップＤ１７）、音声制御部６は音声通話を終了し（ステップＤ１８）、ビデオ制御部４は、通話相手からのビデオデータ受信を終了（ステップＤ１９）すると共に、カメラ１での撮影を終了する（ステップＤ２０）ことで、ビデオ通話を終了する。
【００５７】
本実施形態では、ビデオデータ送信開始状態設定をメモリに記憶させると共に、ビデオデータ送信開始時に、通話相手毎に送信する画像をあらかじめ設定することができるため、誤って自画像を通話相手に送ってしまうことを防ぐと共に、通話相手には、あらかじめ設定した画像を送信するため、通話相手はビデオ通話開始時に画像を受信することができるので、ビデオ通話が正常に行われていることを認識でき安心感を与えることができる。
［実施形態６］
次に、本発明の第６の実施形態について、図１、図３及び図１２、図１３、図１４のフローチャートを参照して詳細に説明する。本発明の実施形態に用いるデータ送信制御装置及び電話装置の構成は図１に示した構成と同じである。
【００５８】
前述の第５の実施形態と比較し、本実施形態では、通話相手毎送信開始時画像データ設定テーブル３１をユーザがあらかじめ登録を行わない代わりに、前述の第５の実施形態におけるフローチャートのステップＤ１５とステップＤ１６の間に、次のステップを実行する。
【００５９】
現在通話中の通話相手アドレスが、通話相手毎送信開始時画像データ設定テーブル３１の通話相手アドレス３２に登録されているかを検索し（ステップＥ１）、登録されている場合は（ステップＥ２）、ステップＤ１５で送信した画像を、通話相手アドレス３２に対応する、送信開始時画像データ３３に上書き登録する。
【００６０】
登録されていない場合は（ステップＥ２）、新規に、通話相手アドレス３２と、送信開始時画像データ３３を、通話相手毎送信開始時画像データ設定テーブル３１に登録する。
【００６１】
本実施形態では、通話相手毎に最後に送信した画像をメモリに記憶することで、通話開始時には、前回の通話で送信した最後の画像（すなわち、通話相手に送信することに何ら支障の無い画像）を送信することができるため、ユーザがあらかじめ通話相手毎に送信する画像を登録する手間なく、第５の実施形態と同じ効果を得ることができる。
【００６２】
以上説明した各実施形態はテレビ電話機能を有するソフトフォンをコンピュータで実現するためのプログラムとして具現化される。すなわち、図１６に示すようなコンピュータにおいて、ビデオ制御部４、ユーザインターフェイス制御部５、音声制御部６の機能は図４〜図１４のフローを記述したプログラムにより実現され、かかるプログラムや図１のメモリ７に記憶させるデータをハードディスク装置等のディスク装置１２４やＲＯＭ等の記憶装置に記憶し、ＣＰＵ１２６によりそのプログラムが実行される。キーボード１２１は図１の入力デバイス３となる。ＣＲＴや液晶表示装置からなるディスプレイ（図ではＣＲＴとして表示されている）１２２（図１のディスプレイ２に対応する）は情報処理状況やビデオデータを表示するものである。１２５はデータバス等のバス、１２３はＣＰＵ１２６の情報処理に必要な情報を記憶するＤＲＡＭ等のメモリを示す。図１のカメラ１、マイク９、スピーカ１０はコンピュータに接続される。
【００６３】
なお、ビデオ制御部４、ユーザインターフェイス制御部５、音声制御部６の機能はソフトウェアで実現しても、ハードウェア構成で実現してもよい。ソフトウェアにより本実施形態を実現する場合、テレビ電話機能を有するソフトフォンをコンピュータに実現するためのプログラムの他に、テレビ電話機能を有する電話機端末（カメラ付き携帯電話機を含む）に搭載するプログラムといった用途に適用できる。また、電話機能のような双方向の通信システムではなく、一の端末から他の端末への情報発信のような、片方向の通信システムを実現するためのプログラムといった用途にも適用可能である。
【産業上の利用可能性】
【００６４】
本発明は、ビデオデータ一時停止機能を有するビデオデータ送信装置を有するテレビ電話装置、テレビ電話機能を有するソフトフォンをコンピュータに実現するためのプログラムやテレビ電話機能を有する電話機端末に搭載するプログラム等の用途に適用できる。
【図面の簡単な説明】
【００６５】
【図１】本発明の実施形態におけるデータ送信制御装置及び電話装置の構成を示すブロック図である。
【図２】ビデオデータ送信開始状態設定の内容を示す図である。
【図３】通話相手毎送信開始時画像データ設定テーブルを示す図である。
【図４】本発明の第１の実施形態の動作を説明するフローチャートである。
【図５】本発明の第１の実施形態の動作を説明するフローチャートである。
【図６】本発明の第１の実施形態の動作を説明するフローチャートである。
【図７】本発明の第２の実施形態の動作を説明するフローチャートである。
【図８】本発明の第２の実施形態の動作を説明するフローチャートである。
【図９】本発明の第３及び第４の実施形態の動作を説明するフローチャートである。
【図１０】本発明の第３及び第４の実施形態の動作を説明するフローチャートである。
【図１１】本発明の第３及び第４の実施形態の動作を説明するフローチャートである。
【図１２】本発明の第５の実施形態の動作を説明するフローチャートである。
【図１３】本発明の第５の実施形態の動作を説明するフローチャートである。
【図１４】本発明の第５の実施形態の動作を説明するフローチャートである。
【図１５】従来のビデオデータ送信制御装置の一例を示すブロック図である。
【図１６】コンピュータの構成を示す図である。
【符号の説明】
【００６６】
４  ビデオ制御部
５  ユーザインターフェイス制御部
６  音声制御部
７  メモリ
９  マイク
１０  ネットワークインターフェイス
４１  ビデオデータ送信部
４２  カメラデータ入力／送信バッファ
４３  ビデオデータ受信／表示部
４４  ビデオデータ受信／表示バッファ
４５  データ読み出し部
５１  表示制御部
５２  入力データ受付部
５３  データ格納部
６１  音声データ送信部
６２  データ受信部
【図１】
2006115184.tif 000003
【図２】
2006115184.tif 000004
【図３】
2006115184.tif 000005
【図４】
2006115184.tif 000006
【図５】
2006115184.tif 000007
【図６】
2006115184.tif 000008
【図７】
2006115184.tif 000009
【図８】
2006115184.tif 000010
【図９】
2006115184.tif 000011
【図１０】
2006115184.tif 000012
【図１１】
2006115184.tif 000013
【図１２】
2006115184.tif 000014
【図１３】
2006115184.tif 000015
【図１４】
2006115184.tif 000016
【図１５】
2006115184.tif 000017
【図１６】
2006115184.tif 000018